(57)【要約】【課題】  動物に排泄場を教え込むについて、従来の排泄兆候発現時の排泄場への引導と排泄行動成功時の誉めによる条件付けでは躾けに時間と手間がかかる。【解決手段】  代表的な排泄マ−キング物質であるアンモニア単独、ないしはアンモニアとアラントインを溶解した水溶性液剤、あるいはこれらの成分を担体に吸着させた形成物を排泄場に散布し、嗅覚による認知を追加して躾けを迅速化するについて、アンモニアのマ−キング効果の持続のためにアミノカルボニル化合物を添加して効果を持続させる。【特許請求の範囲】
【請求項１】
人の嗅覚に不快感を与えない濃度のアンモニアもしくはその塩類に加えて、
式
【化１】
2005229976.tif 000005
［式中，Ｒはアミノ、低級アルキル１級アミノ、低級アルキル２級アミノ、低級アルキルオキシ、低級アルケニルオキシ、アリルオキシ、アリルアルキルオキシを示す］
で示されるアミノカルボニル化合物を添加する水溶性製剤であることを特徴とする動物躾け用品。
【請求項２】
アラントインを添加することを特徴とする請求項１記載の動物躾け用品。
【請求項３】
人の嗅覚に不快感を与えない濃度のアンモニアもしくはその塩類に加えて、
式
【化２】
2005229976.tif 000006
［式中，Ｒはアミノ、低級アルキル１級アミノ、低級アルキル２級アミノ、低級アルキルオキシ、低級アルケニルオキシ、アリルオキシ、アリルアルキルオキシを示す］
で示されるアミノカルボニル化合物を担体に吸着させることを特徴とする動物躾け用品。
【請求項４】
アラントインを添加することを特徴とする請求項３記載の動物躾け用品。
【発明の詳細な説明】
【発明の詳細な説明】
【技術分野】
【０００１】  本発明は動物の誘因剤の配合・製剤化技術に関し、特に排泄の躾けにおける動物の嗅覚知覚剤の配合・製剤化技術に関する。
【背景技術】
【０００２】  この技術分野では動物を排除する忌避剤の開発が盛んに行なわれているが、動物の排尿・排便の躾け促進剤の文献は本発明者等の調査の結果では極めて少なかった。わずかに猫の排尿行為との関連での誘因剤の組成技術について脂肪酸類、ヴェレリアナ・オフィシナリス等の植物エキス、トリメチルアミンを成分とする配合技術を記載する特表平１０−５１３１６４を検出したに過ぎない。本発明の技術構成であるアンモニアもしくはその塩類にアンモニア徐放性有機化合物であるアミノカルボニル化合物、およびアラントインを付加する動物躾け用品の配合についての文献は検出されなかった。
【発明が解決しようとする課題】
【０００３】  人口構成の高齢化、高齢結婚化、少子化が進むにつれてペットの需要が増加している。ペットは戸外で飼育する場合の他、犬・猫等のペットでは室内で放し飼いする事例が増加している。室内放し飼いでは室内の清潔保持のためにペットの排尿・排便の躾が重要課題となる。飼い始めたペットに砂場等の指定された排尿・排便場をできるだけ早期に教え込む必要がある。従来は排泄の兆候を示したペットをその都度、排泄場に連れて行き、排泄行為を達成できれば誉めることで躾を気長に行なっていた。これは条件付けによる躾であるがペットの生理的特性を充分に利用した方法とは言い難い。
【０００４】  本発明はマーキングの代表的物質であるアンモニア等を主剤として溶剤、あるいは担体に吸着させた形成物として製剤化した動物躾け用品を提供しようとする。
【課題を解決するための手段】
【０００５】  本発明の動物躾け用品は、室温下、製剤状態で人には嗅覚により感知できないが動物には感知しうる程度のアンモニア（アンモニウム塩類としても配合可能）を配合要素のひとつとし、加水分解により徐々にアンモニア、あるいは低級な１級ないしは２級アルキルアミン類を発生する、
式
【化３】
2005229976.tif 000002
［式中，Ｒはアミノ、低級アルキル１級アミノ、低級アルキル２級アミノ、低級アルキルオキシ、低級アルケニルオキシ、アリルオキシ、アリルアルキルオキシを示す］
のアミノカルボニル化合物を添加した水溶性溶製剤であることを特徴とする。
【０００６】  本発明の動物躾け用品は人の嗅覚に不快感を与えない範囲の濃度のアンモニアもしくはその塩類と前記の有機化合物に加えてアラントインを添加した水溶性製剤を特徴とする。
【０００７】  本発明の動物躾け用品は人の嗅覚に不快感を与えない範囲のアンモニアもしくはその塩類に加えて、
式
【化４】
2005229976.tif 000003
［式中，Ｒはアミノ、低級アルキル１級アミノ、低級アルキル２級アミノ、低級アルキルオキシ、低級アルケニルオキシ、アリルオキシ、アリルアルキルオキシを示す］
で示されるアミノカルボニル化合物を担体に吸着させて製剤化することを特徴とする。
【０００８】  本発明の動物躾け用品は人の嗅覚に不快感を与えない程度の濃度のアンモニアもしくはその塩類と前記のアミノカルボニル化合物に加えてアラントインを追加して担体に吸着させて製剤化することを特徴とする。
【発明の実施の態様】
【０００９】  本発明の動物躾け用品のひとつの態様は水溶性の製剤を採用する。すなわち溶媒として水を主体とし、必要ならばアルコ−ル・アセトン・グリコ−ル類・グリセリン・セロソルブ類等の水溶性溶媒を混合することができる。
【００１０】  本発明の水溶性製剤は室内飼育動物の排泄場へ散布する、動物には嗅覚的感知が可能であるが人間に嗅覚による不快感を与えることのない範囲の濃度のアンモニア（アンモニウム塩としても配合可能）を配合した製剤である。すなわち液剤の状態では常温下で直接、人間が嗅いだとしても不快なアンモニア臭がしない範囲の濃度にアンモニアもしくはアンモニウム塩を溶解する。本発明者等の実験では数百ｐｐｍ程度のアンモニアないしはこれと同当量のアンモニウム塩の濃度では人に不快感を与えることのないことが知られた。ちなみに乾燥性担体に吸着させて製剤化する場合にはアンモニアまたはそれと同当量のアンモニウム塩の濃度が百ｐｐｍ以下程度ならば人に不快感を与えることはないことも知られた。湿式担体に吸着させる場合にはアンモニアまたはそれと同当量のアンモニウム塩の濃度は数百ｐｐｍ以下程度でも不快感は感じないことも知られた。
【００１１】  アンモニアは市販のアンモニア水を計算量添加することにより、アンモニウム塩は弱酸との塩、例えば炭酸アンモニウム、重炭酸アンモニウムを計算量添加すればよい。変法として通常のアンモニウム塩（塩化物、硫酸化物、カルボン酸塩、燐酸塩等）と同当量前後の塩基性成分（苛性アルカリ類、アルカリ土類金属水酸化物、（重）炭酸アルカリないしは土類金属塩等）を併用してアンモニア源とすることもできる。
【００１２】  水溶液はアンモニアの発生を容易にするとともに使用にあたっての危険性を緩和するために中性ないしは弱アルカリ性に調整するのが好ましい。この際に液剤を緩衝液仕様にしてｐＨを安定化させる技術は化学薬品の水性液剤化分野では汎用の技術であり容易に実現できる。
【００１３】  ただ単にアンモニアないしその塩類を使用し液剤を排泄場に散布した場合、乾燥すれば速やかにアンモニアは揮発しマ−キング効果も急速に消失する。本発明では加水分解により徐々にアンモニアを発生するアミノカルボニル化合物をさらに添加して効果の持続性を企図する。これらは化学構造式により以下のように記述される。
式
【化５】
2005229976.tif 000004
［式中，Ｒはアミノ、低級アルキル１級アミノ、低級アルキル２級アミノ、低級アルキルオキシ、低級アルケニルオキシ、アリルオキシ、アリルアルキルオキシを示す］
の構造を有するアミノカルボニル化合物を添加する。ここに、Ｒはアミノ、低級アルキル１級アミノ、低級アルキル２級アミノ、低級アルキルオキシ、低級アルケニルオキシ、アリルオキシ、アリルアルキルオキシを示す。アリルとしては無置換、ないしは低級アルキル、ヒドロキシ、低級アルコキシ、アミノもしくはモノもしくはジ低級アルキルアミノ、ハロゲン等の置換基を有するフェニル、ナフチル等、アリルアルキルとしては前述のアリル基を有するメチレン、エチレン、プロピレン（分枝構造を含む）等を示す。なお、添加物を非対称尿素化合物とする場合には加水分解により低級アルキルアミンも同時に発生するが、これらは糞便の微生物分解により発生する常態腐敗性揮発物質でありアンモニア同様、糞便を擬したマ−キング効果が期待できる。
【００１４】  本発明の別の態様では哺乳類の尿への窒素態排泄物の代表的な物質であるアラントインを添加する。アラントインはそれ自体が尿を擬したマ−キング物質であるととも加水分解されるとアンモニアを発生し、徐放性アンモニア発生剤としての機能も期待できる。
【００１５】  室内の犬・猫等の動物の排泄場は上部が解放された平たい容器内に木屑・紙屑の植物性有機物、砂・粘土・シリカゲル・ゼオライト・炭等の無機物の粉末・顆粒、吸水性合成樹脂の顆粒等からなる吸収剤を散布して排泄物の水分を吸着させ、乾燥させるように形成するのが普通である。本発明の躾け用液剤をこのような環境に散布すれば、速やかに吸収剤に吸着され蒸発しながらアンモニアを発生する。アラントインを添加した液剤では低濃度ではあるがアラントインも水分蒸発とともに吸収剤表面に輸送され揮発する。これらは動物の排泄物を象徴するマ−キング物質として、排泄場を動物が嗅覚によって覚え込むのに寄与する。
【００１６】  本発明では添加されたアミノカルボニル化合物または（および）アラントインは徐々に加水分解されてアンモニアの持続性揮発を可能にする。この効果により躾け用品の散布頻度を少なくすることができる。
【００１７】  本発明の動物用躾け用品の液剤を開封後、室温下に長期保管した場合の発カビ、腐敗等の変質を避けるために、静菌剤を添加することも許容される。静菌剤としては低級アルコ−ル、エチレングリコ−ル、プロピレングリコ−ル、アセトン等を例示できる。
【００１８】  なお、躾け用品のファッション化のために、液剤を手動ないしは加圧ガスによるスプレイ充填にしたり、色素により着色することは商品化にあたっての常套手段である。
【００１９】  さらに、本発明では前述の成分を担体に吸着させた製剤とすることもできる。担体としてはアルミナ・シリカゲル・ゼオライト・粘土・石膏・ベントナイト・珪藻土等の無機物、木屑・パルプ・セルロ−ズ繊維・カニ殻粉・稲藁粉等のバイオマス加工品、アルギン酸・プルラン・（化学修飾）澱粉・アラビアガム・ジェランガム・蒟蒻・マンナン・寒天・カラギナン・ＣＭＣ・ペクチン・フノリ・ポリビニルアルコール・ポリアクリル酸塩等の水溶性ゲル化剤（これらは単一もしくは混合配合することができる）よりなる形成物（板状物・タブレット・球・キュ−ブ・糸状物・不定形物・シ−ト形成剤等）等を挙げうる。以上の担体成分は混用することができるのは言うまでもなく、適宜の配合により押し出し・結着乾燥等により顆粒・ペレット等に製剤化することができる。これらの形成物を排泄場に配置すれば液剤を散布と同等ないしそれに優る有効成分の揮発持続性が期待できる。本発明の担体吸着製剤は乾燥仕様にしてもよいし湿式仕様にしてもよい。担体が水溶性ゲル形成能を有する場合には湿式仕様にすることは容易になる。本発明の担体吸着仕様の動物躾け用品の実施態様には既存のペット用排泄物吸収用品に本発明の成分の適当量を吸着させて動物排泄物吸収剤そのものとして使用に供することも当然に包含される。
【００２０】  以下に実施例を示し、本発明の実施の態様を複数記述して本発明の技術思想を極めて具体的に説明するが、本発明の範囲がこれらのみ、ないしは類似の実施態様のみに限定されるものでないことは言うまでもない。
【実施例】
【００２１】  （実施例１）
煮沸した脱イオン水を無菌的に室温に冷却する。アンモニア水にて２００ｐｐｍのアンモニア濃度とし尿素１％を追加溶解した。さらにエタノ−ル５％、食品添加物用プロピレングリコ−ル５％を溶解して滅菌容器に無菌的に充填・封入して動物用躾け用品とした。【００２２】  （実施例２）
実施例１の溶液にエトキシカルボニルアミン（別名：ウレタン，カルバミン酸エチル）６００ｐｐｍを追加溶解して動物躾け用品とした。【００２３】  （実施例３）
実施例１の溶液にアラントイン６００ｐｐｍを溶解して動物躾け用品とした。【００２４】  （実施例４）
実施例２の溶液にアラントイン６００ｐｐｍを溶解して動物躾け用品とした。【００２５】  （実施例５）
アルギン酸ソ−ダの０．５％水溶液にアンモニア５００ｐｐｍ、尿素１０００ｐｐｍ、エトキシカルボニルアミン１０００ｐｐｍ、アラントイン１０００ｐｐｍを溶解する。２倍容量の１％塩化カルシウム水溶液中に外径１０ｍｍ、内径８ｍｍのチュ−ブを介して滴下する。滴下終了後静かに攪拌して３０分間室温で熟成させ、水性の球形ゲルをザルで濾過する。直径５０ｍｍ、高さ１５０ｍｍの耐熱ビンに水性ゲル球を充填・密閉して６５℃の水浴中で６０分間低温殺菌して動物躾け用品とする。紙パルプを約５ｍｍに造粒した吸収剤を散布したプラスチック製の排泄場（約５０ｃｍ四方）に球状ゲル剤約５０ｇを散布し、３日後に新たに同量を補充する。【００２６】  （実施例６）
市販の鮮魚トレイ用吸水シ−トに、エタノ−ル、プロピレングリコ−ルを除いた実施例２の液剤を少し湿り気を感じる程度に吸水させ実施例５の排泄場に置き、５日後に交換した。【００２７】  （実施例７）
３０〜６０メッシュのシリカゲル１Ｋｇを攪拌しながら実施例１の液剤１００ｇを３０分間をかけてスプレイして均一に吸収させて動物躾け用品とした。実施例６の排泄場に約５０ｇを散布した。【００２８】  （実施例８）
市販のペット排泄物吸収用品（株式会社ヤマヒサペット事業部「ひのきの森の砂」／本商品は檜の木屑を主成分とし５ｍｍ径〜１０ｍｍ長のペレット状に成形・乾燥したもの：本発明者等補足説明）３ｌに本発明になる実施例３の液剤１５０ｍｌを丁寧に攪拌しつつ均一に噴霧し７０℃の熱風を吹き付けながら徐々に吸着・乾燥させた。これをポリエチレン袋に梱包して動物躾け用品として商品化した。さらにこの商品を実施例５の排泄場に散布して子犬の排泄躾けに利用する。【００２９】  （実施例９）
新聞紙を電気洗濯機を用いて多量の水ととともに攪拌して溶解・パルプ化する。遠心分離して湿った状態で１０ｍｍ径の球状に成形する。通風乾燥後５００ｇに炭酸アンモニウム０．３％、尿素０．３％、アラントイン０．３％を含む水溶液５０ｇを均一に噴霧し室温下で水分率約１０％程度に乾燥してガスバリア−性フィルム袋に充填し動物用躾け用品とする。これを開封して実施例５の排泄場に散布して子猫の排泄躾けに利用する。【００３０】  （実施例１０）
実施例８において炭酸アンモニウムに代えて酢酸アンモニウム０．５％を使用し、乾燥後に３％炭酸ソ−ダ水溶液３０ｇを均一に噴霧して乾燥する。実施例８と同様に袋詰めして商品化する。また同様に排泄場に散布する。
【発明の効果】
【００３１】  本発明の動物躾け用品を室内飼いの動物の排泄場の教え込みに併用すればアンモニア、アラントイン等の排泄物マ−キング物質を嗅覚により知覚させることにより躾けを短期間化することができる。アミノカルボニル化合物、あるいはアラントインを本発明の動物躾け用品に添加することによりアンモニアの持続揮発が可能になり散布頻度を低下させて手間を省くことができる。この用品を担体に吸着させた形成物とすれば液剤と同等ないしはこれらに優る効果と利便性が得られる。